(57)【特許請求の範囲】
【請求項１】
下部にルーバーを有し内部に照明器具を備えて下方を照らす陳列棚の天部において、
陳列棚の左右１対の支柱にそれぞれ取付けられた左右１対の支持部材と、
左右方向に長尺の板材の左右の両端に、前記板材が上方を向く起立態様と、前記板材が後方を向く倒伏態様との２態様で、前記支持部材に受支されるようにした係合部材を有し、さらに、前記板材の一方の長辺部分に、前記板材の板厚方向に突出し、かつ前記起立態様と倒伏態様のいずれの態様で前記係合部材が支持部材に受支されたときにも、前記ルーバーの後端部を同じ高さで、かつ同じ前後位置で受け止めるようにしたルーバー受け部を有するルーバー受けとを備えることを特徴とする陳列棚の照明器具内蔵天部のルーバー支持装置。
【請求項２】
前記支持部材は、側面視上向コ字状のルーバー受け支持部を有し、前記ルーバー受けに、前記ルーバー受け支持部に対して着脱可能な係合部材を設け、ルーバー受け支持部の対向片間の距離と、ルーバー受けを起立態様としたときの前記係合部材の上下方向の長さと前後方向の長さとを同一としたことを特徴とする請求項１記載の陳列棚の照明器具内蔵天部のルーバー支持装置。
【請求項３】
前記ルーバー受け部は、前記板材の一方の長辺側端部を側面視コ字状に折り曲げて形成され、このコ字状のルーバー受け部の左右両端部の内側に、前記係合部材が設けられていることを特徴とする請求項１または２記載の陳列棚の照明器具内蔵天部のルーバー支持装置。
【請求項４】
前記支持部材は、前記支柱に着脱可能であることを特徴とする請求項１〜３のいずれかに記載の陳列棚の照明器具内蔵天部のルーバー支持装置。
【発明の詳細な説明】
【０００１】
【発明の属する技術分野】
本発明は、陳列棚の照明器具内蔵天部において、光を乱反射させるルーバーの後端部を支持する装置に関する。
【０００２】
【従来の技術】
図６に示すように、従来、陳列棚(１)の天部(２)は、照明器具(３)を内蔵し、光を効率良く分散させて商品を照らすルーバー(４)を下部に備えている。
ルーバー(４)の後端部(4b)は、陳列棚(１)の左右１対の支柱（図示省略）に両端が支持された左右方向に長尺のルーバー受け(17)に支持されている。
【０００３】
ところが、図７に示すように、陳列棚(１)の後板(16)が１枚であると、後板(16)とルーバー(４)の後端部(4b)との間に隙間Ｓが生じ、ルーバー(４)が後方へ位置がずれる恐れがある。このため、左右両端が上記左右１対の支柱に支持されて隙間Ｓを埋める隙間埋め部材(18)を必要としていた。しかし、ルーバー受け(17)と、隙間埋め部材(18)を必要とするため、構造が複雑になっている。
そこで、図８に示す、上記隙間埋め部材を一体化した側面視Ｌ字状のルーバー受け(19)がある。
【０００４】
【発明が解決しようとする課題】
このように、ルーバー(４)の後端(4b)を支持する従来のルーバー受け(17)(19)は、陳列棚の後板(16)が１枚のときと、２枚のときとで、構造を異にするため、したがって、共用することができず、部品点数が多くなるという問題がある。
【０００５】
本発明は、上記の問題点に鑑み、後板が１枚のときと、２枚のときとで共用することができ、部品点数が少なくて済むルーバー支持装置を提供することを目的としている。
【０００６】
【課題を解決するための手段】
本発明によると、上記課題は、次のようにして解決される。
(１) 下部にルーバーを有し内部に照明器具を備えて下方を照らす陳列棚の天部において、陳列棚の左右１対の支柱にそれぞれ取付けられた左右１対の支持部材と、左右方向に長尺の板材の左右の両端に、前記板材が上方を向く起立態様と、前記板材が後方を向く倒伏態様との２態様で、前記支持部材に受支されるようにした係合部材を有し、さらに、前記板材の一方の長辺部分に、前記板材の板厚方向に突出し、かつ前記起立態様と倒伏態様のいずれの態様で前記係合部材が支持部材に受支されたときにも、前記ルーバーの後端部を同じ高さで、かつ同じ前後位置で受け止めるようにしたルーバー受け部を有するルーバー受けとを備えるものとする。
【０００７】
(２) 上記(１)項において、前記支持部材は、側面視上向コ字状のルーバー受け支持部を有し、前記ルーバー受けに、前記ルーバー受け支持部に対して着脱可能な係合部材を設け、ルーバー受け支持部の対向片間の距離と、ルーバー受けを起立態様としたときの前記係合部材の上下方向の長さと前後方向の長さとを同一とする。
【０００８】
(３) 上記(１)または(２)項において、前記ルーバー受け部は、前記板材の一方の長辺側端部を側面視コ字状に折り曲げて形成され、このコ字状のルーバー受け部の左右両端部の内側に、前記係合部材を設ける。
【０００９】
(４) 上記(１)〜(３)項のいずれかにおいて、前記支持部材は、前記支柱に着脱可能とする。
【００１０】
【発明の実施の形態】
以下、本発明の実施の形態を、図１〜図５に基づいて説明する。
【００１１】
図１に示すように、陳列棚(１)の天部(２)は、照明器具(３)を内蔵し、光を効率良く分散させて陳列物を照らすルーバー(４)を下部に備えている。ルーバー(４)の前端部(4a)は、天部(２)の前板(５)にブラケット(６)によって支持され、後端部(4b)は、ルーバー支持装置(７)によって支持されている。照明器具(３)は、天板(2a)から吊り下げられている。
【００１２】
図２及び図３に示すように、ルーバー支持装置(７)は、陳列棚(１)の左右１対の支柱(８)(８)に着脱可能な左右１対の支持部材(９)(９)と、この支持部材(９)に左右両端が支持された左右方向に長尺のルーバー受け(10)とを有している。支柱(８)には、多数の被係合孔(11)が穿設されている。この被係合孔(11)には、支持部材(９)の上下１対の爪(12)(12)が着脱可能に係合するようになっている。
支持部材(９)は側面視上向コ字状のルーバー受け支持部(13)を有している。
【００１３】
ルーバー受け(10)は、左右方向に長尺の板材の左右の両端に、上記板材が上方を向く起立態様(図１および図３参照)と、上記板材が後方を向く倒伏態様(図４および図５参照)との２態様で、支持部材(９)(９)に受支されるようにした係合部材(15)を有するとともに、上記板材の一方の長辺部分(図３における下端部)に、板材の板厚方向に突出し、かつ起立態様と倒伏態様のいずれの態様で、係合部材(15)(15)が支持部材(９)(９)に受支されたときにも、ルーバー(４)の後端部を同じ高さで、かつ同じ前後位置で受け止めるようにしたルーバー受け部(14)を有している。
【００１４】
図示の例では、ルーバー受け部(14)は、図３に示すように、起立態様としたときのルーバー受け(10)における板材の下方の長辺部分を、側面視上向きコ字状に折り曲げて形成され、このコ字状のルーバー受け部(14)の左右両端部の内側に、側面視上向きコ字状とした係合部材(15)(15)が、その一部がルーバー受け部(14)より外側方に突出するようにして設けられている。
図３に示すように、ルーバー受け支持部(13)における対向片間の距離Ｌ１は、ルーバー受け(10)を起立態様としたときの係合部材(15)の上下方向の長さＬ２と、同じく係合部材(15)の前後方向の長さＬ３と同一寸法としてある。
【００１５】
以上のようなルーバー支持装置(７)において、図１に示すように、陳列棚(１)の後板(16)が２枚のときは、ルーバー受け(10)は、起立態様として、その両端部の係合部材(15)(15)を、支持部材(９)(９)に受支させ、かつルーバー受け部(14)における上向き折曲片(14b)の上端(14a)に、ルーバー(４)の後端部(4b)を支持させる。
【００１６】
図４に示すように、陳列棚(１)の後板(16)が１枚のときは、ルーバー受け(10)は、倒伏態様として、その両端部の係合部材(15)(15)を、支持部材(９)(９)に受支させ、かつそのとき水平となったルーバー受け部(14)における上向き折曲片(14b)上に、ルーバー(４)の後端部(4b)を支持させる。このとき、ルーバー受け(10)は、その板材が後方を向くことによって、後板(16)とルーバー(４)の後端部(4b)との間の隙間Ｓを埋めることができる。
【００１７】
ルーバー受け(10)は、係合部材(15)の上下方向の長さＬ２と、前後方向の長さＬ３が同一であるため、図３に示す起立態様においても、図５に示す倒伏態様においても、同一高さで、かつ同じ前後位置でルーバーの後端部(4b)を受け止めることができる。
【００１８】
【発明の効果】
請求項１の発明によると、陳列棚の後板が１枚であっても、２枚であっても、ルーバー受けを共用することができるので、部品点数を削減することができるとともに、ルーバー受けの取付態様を、起立態様と倒伏態様との２態様の中から選択することにより、陳列棚の後板が１枚の場合も、２枚の場合も、後板とルーバーの後端部との間の隙間を埋めることができる。
【００１９】
請求項２の発明によると、ルーバー受け支持部の対向片間の距離と、ルーバー受けを起立態様としたときの係合部材の上下方向の長さと、同じく前後方向の長さとを同一としているので、ルーバー受けの向きに関係なく、支持部材にルーバー受けを確実に支持させて、ルーバー受け部により、ルーバーの後端部を同じ高さで、かつ同じ前後位置で受け止めることができる。
【００２０】
請求項３の発明によると、ルーバー受けをコ字状に形成しているので、ルーバー受けを軽量化することができる。
【００２１】
請求項４の発明によると、支持部材が支柱に対して着脱可能としているので、照明器具を交換するとき、ルーバー受けとルーバーを容易に取り外すことができる。
【図面の簡単な説明】
【図１】  本発明の実施形態のルーバー支持装置を備えた陳列棚の天部の側断面図である。
【図２】  図１の分解斜視図である。
【図３】  ルーバー支持装置の分解斜視図である。
【図４】  ルーバー支持装置の図１とは異なる使用形態の断面側面図である。
【図５】  図４におけるルーバー支持装置の左半分のみ示した分解斜視図である。
【図６】  従来のルーバー支持装置を備えた陳列棚の天部の断面側面図である。
【図７】  従来における他のルーバー支持装置を備えた陳列棚の天部の後半分のみ示した断面側面図である。
【図８】  従来における他のルーバー支持装置を備えた陳列棚の天部の後半分のみ示した断面側面図である。
【符号の説明】
(１)陳列棚
(２)天部
(３)照明器具
(４)ルーバー
(4a)前端部
(4b)後端部
(５)前板
(６)ブラケット
(７)ルーバー支持装置
(８)支柱
(９)支持部材
(10)ルーバー受け
(11)被係合孔
(12)爪
(13)ルーバー受け支持部
(14)ルーバー受け部
(14a)上端
(14b)上向き折曲片
(15)係合部材
(16)後板
【図１】
0003777251.tif 000002
【図２】
0003777251.tif 000003
【図３】
0003777251.tif 000004
【図４】
0003777251.tif 000005
【図５】
0003777251.tif 000006
【図６】
0003777251.tif 000007
【図７】
0003777251.tif 000008
【図８】
0003777251.tif 000009